(57)【要約】【課題】電気光学装置において、１つの外部切換信号線によって、パネルの垂直方向及び水平方向の走査方向を切り換えることである。【解決手段】液晶表示装置１０には、表示領域１４の周囲に、シフトレジスタ制御装置２０が配置される。シフトレジスタ制御装置２０は、垂直側シフトレジスタ２２、水平側シフトレジスタ２４、切換回路２６を含んで構成される。切換回路２６は、既に存在している垂直側シフトレジスタ２２のクロック信号ＣＫＶの２つの状態を利用し、１つの外部切換信号線から供給される制御信号ＣＳＶＨに基づいて、垂直方向走査切換信号ＣＳＶと水平方向走査切換信号ＣＳＨを生成する機能を有する。【選択図】図１
2008224886.tif 000002
【特許請求の範囲】
【請求項１】
複数の走査信号線とデータ信号線の各交点にマトリクス状に画素が配置された表示領域を備えた電気光学装置のシフトレジスタ制御装置であって、
前記シフトレジスタ制御装置は、
前記走査信号線を所望の方向に走査する垂直側シフトレジスタと、
前記データ信号線を所望の方向に走査する水平側シフトレジスタと、
前記垂直側シフトレジスタと前記水平側シフトレジスタの走査方向の切り換えを制御する切換回路とを備え、
前記切換回路は、前記垂直側シフトレジスタまたは前記水平側シフトレジスタに用いられるクロック信号が供給されるクロック信号線と前記クロック信号の２つの状態に同期して前記走査方向を制御するための制御信号データが供給される１本の外部切換信号線とが接続され、前記クロック信号と制御信号データに基づいて、前記垂直側シフトレジスタと水平側シフトレジスタの走査方向を切り換える垂直方向走査切換信号と水平方向走査切換信号とを生成して出力し、
前記垂直側シフトレジスタは、前記垂直方向走査切換信号により走査方向を切り換え、
前記水平側シフトレジスタは、前記水平方向走査切換信号により走査方向を切り換えること、
を特徴とする電気光学装置のシフトレジスタ制御装置。
【請求項２】
複数の走査信号線とデータ信号線の各交点にマトリクス状に画素が配置された表示領域と、
前記走査信号線を所望の方向に走査する垂直側シフトレジスタと、
前記データ信号線を所望の方向に走査する水平側シフトレジスタと、
前記垂直側シフトレジスタと前記水平側シフトレジスタの走査方向の切り換えを制御する切換回路とを備えた電気光学装置であって、
前記切換回路は、前記垂直側シフトレジスタまたは前記水平側シフトレジスタに用いられるクロック信号が供給されるクロック信号線と前記クロック信号における２つの状態に同期して前記走査方向を制御するための制御信号データが供給される１本の外部切換信号線とが接続され、前記クロック信号と制御信号データに基づいて、前記垂直側シフトレジスタと前記水平側シフトレジスタの走査方向を切り換える垂直方向走査切換信号と水平方向走査切換信号とを生成して出力し、
前記垂直側シフトレジスタは、前記垂直方向走査切換信号により走査方向を切り換え、
前記水平側シフトレジスタは、前記水平方向走査切換信号により走査方向を切り換えること、
を特徴とする電気光学装置。
【請求項３】
請求項２に記載の電気光学装置において、
前記切換回路は、
前記クロック信号の第１の状態で取得した前記制御信号データと、前記クロック信号の第２の状態で取得した前記制御信号データとに基づいて、前記垂直方向走査切換信号と前記水平方向走査切換信号を生成して出力することを特徴とする電気光学装置。
【発明の詳細な説明】
【技術分野】
【０００１】
本発明は電気光学装置のシフトレジスタ制御装置及び電気光学装置に係り、特に垂直方向走査切換信号によって走査方向が切り換わる垂直側シフトレジスタと、水平方向走査切換信号によって走査方向が切り換わる水平側シフトレジスタとを有する電気光学装置のシフトレジスタ制御装置及び電気光学装置に関する。
【背景技術】
【０００２】
アクティブマトリクス型の液晶表示装置等の電気光学装置では、複数の走査信号線と複数のデータ信号線とを用いてマトリクス状に配置された各表示領域に所望の表示を行う。そして、複数の走査信号線について順次選択を行い、また、映像信号を複数のデータ信号線へ順次供給するために、シフトレジスタ回路技術が用いられる。
【０００３】
そして、用途に応じて画像反転表示が可能なように、例えば、走査信号線の走査方向をパネルの上側から下側へ走査することも、パネルの下側から上側へ走査することも可能なように工夫がされている。
【０００４】
例えば、特許文献１には、画像の反転を行うために液晶表示装置を構成する信号回路及び走査回路に双方向シフトレジスタを用いることが述べられている。ここでは、走査回路が双方向シフトレジスタを用いた回路で構成され、外部からの信号である走査切換え信号ＶＤＲによってパネルの上側から下にまたは下側から上に走査パルスのタイミングを順にずらすこと、信号回路が双方向シフトレジスタとサンプル回路から構成され、外部からの信号である走査切換え信号ＨＤＲによってパネルの左側から右にまたは右側から左にドレイン信号のサンプルパルスのタイミングを順にずらすことが述べられている。
【０００５】
【特許文献１】特開平１１−１７６１８６号公報
【発明の開示】
【発明が解決しようとする課題】
【０００６】
特許文献１の方法によれば、ＶＤＲによってパネルの上下方向の走査方向を切り換えることができ、ＨＤＲによってパネルの左右方向の走査方向を切り換えることができる。ここでは、２種類の外部切換信号を用いているため、２本の外部切換信号線を要しているが、これを１つの外部切換信号線でパネルの上下及び左右を切り換えることができれば、外部からの信号配線等を少なくでき便利である。
【０００７】
本発明の目的は、１つの外部切換信号線によって、パネルの垂直方向及び水平方向の走査方向を切り換えることを可能にする電気光学装置のシフトレジスタ制御装置及び電気光学装置を提供することである。
【課題を解決するための手段】
【０００８】
本発明に係る電気光学装置のシフトレジスタ制御装置は、複数の走査信号線とデータ信号線の各交点にマトリクス状に画素が配置された表示領域を備えた電気光学装置のシフトレジスタ制御装置であって、前記シフトレジスタ制御装置は、前記走査信号線を所望の方向に走査する垂直側シフトレジスタと、前記データ信号線を所望の方向に走査する水平側シフトレジスタと、前記垂直側シフトレジスタと前記水平側シフトレジスタの走査方向の切り換えを制御する切換回路とを備え、前記切換回路は、前記垂直側シフトレジスタまたは前記水平側シフトレジスタに用いられるクロック信号が供給されるクロック信号線と前記クロック信号の２つの状態に同期して前記走査方向を制御するための制御信号データが供給される１本の外部切換信号線とが接続され、前記クロック信号と制御信号データに基づいて、前記垂直側シフトレジスタと水平側シフトレジスタの走査方向を切り換える垂直方向走査切換信号と水平方向走査切換信号とを生成して出力し、前記垂直側シフトレジスタは、前記垂直方向走査切換信号により走査方向を切り換え、前記水平側シフトレジスタは、前記水平方向走査切換信号により走査方向を切り換えること、を特徴とする。
【０００９】
上記構成により、電気光学装置のシフトレジスタ制御装置は、クロック信号における２つの状態に同期させて外部から入力される制御信号データに基づいて前記垂直方向走査切換信号と前記水平方向走査切換信号を生成する。したがって、１つの外部切換信号線で制御信号データを入力して、パネルの垂直方向及び水平方向の走査方向を切り換えることが可能になり、走査方向を切り換えるための制御信号線の数を減らすことができるので、周辺回路に要する回路面積を減らすことができ、電気光学装置の基板サイズの小型に貢献することができる。
【００１０】
また、本発明に係る電気光学装置は、複数の走査信号線とデータ信号線の各交点にマトリクス状に画素が配置された表示領域と、前記走査信号線を所望の方向に走査する垂直側シフトレジスタと、前記データ信号線を所望の方向に走査する水平側シフトレジスタと、前記垂直側シフトレジスタと前記水平側シフトレジスタの走査方向の切り換えを制御する切換回路とを備えた電気光学装置であって、前記切換回路は、前記垂直側シフトレジスタまたは前記水平側シフトレジスタに用いられるクロック信号が供給されるクロック信号線と前記クロック信号における２つの状態に同期して前記走査方向を制御するための制御信号データが供給される１本の外部切換信号線とが接続され、前記クロック信号と制御信号データに基づいて、前記垂直側シフトレジスタと前記水平側シフトレジスタの走査方向を切り換える垂直方向走査切換信号と水平方向走査切換信号とを生成して出力し、前記垂直側シフトレジスタは、前記垂直方向走査切換信号により走査方向を切り換え、前記水平側シフトレジスタは、前記水平方向走査切換信号により走査方向を切り換えること、を特徴とする。
【００１１】
したがって、１つの外部切換信号線によって、パネルの垂直方向及び水平方向の走査方向を切り換えることができ、走査方向を切り換えるための制御信号線の数を減らすことができるので、周辺回路に要する回路面積を減らすことができ、電気光学装置の基板サイズの小型に貢献することができる。
【００１２】
また、前記切換回路は、前記クロック信号の第１の状態で取得した前記制御信号データと、前記クロック信号の第２の状態で取得した前記制御信号データとに基づいて、前記垂直方向走査切換信号と前記水平方向走査切換信号を生成して出力することが好ましい。これにより、第１の状態で取得した制御信号データと第２の状態で取得した制御信号データを区別できるので、例えば、この区別によって入力された制御信号データを２種類の指示として用いることができる。したがって、簡単な構成で、１つの外部信号線の入力を２種類の指示内容のものとできる。
【発明を実施するための最良の形態】
【００１３】
以下に図面を用いて本発明に係る実施の形態につき詳細に説明する。以下では、シフトレジスタ制御装置として、液晶表示装置の走査信号線の順次走査に用いる垂直側シフトレジスタ及びデータ信号線に映像信号を順次供給するために用いる水平側シフトレジスタを含むものとして説明するが、液晶表示装置以外の電気光学装置に用いられるシフトレジスタ制御装置であってもよい。例えば、エレクトロルミネセンス装置、プラズマディスプレイ装置、電気泳動ディスプレイ装置、電子放出素子を用いて装置に用いられるシフトレジスタ制御装置であってもよい。また、電気光学装置以外の回路装置等に用いられるシフトレジスタ制御装置でもよい。
【００１４】
また、以下では、液晶表示装置として、ガラス基板上に低温ポリシリコン技術を用いて垂直側シフトレジスタ、水平側シフトレジスタ、切換回路を含むシフトレジスタ制御装置を形成するものとして説明するが、これ以外の方法で、絶縁基板上にシフトレジスタ制御装置を搭載するものであればよい。例えば、高温ポリシリコン技術を用いて絶縁基板上にシフトレジスタ制御装置の各要素を形成するものであってもよい。ポリシリコン技術に代えてアモルファスシリコン技術を用いてシフトレジスタ制御装置の各要素を形成するものであってもよい。シフトレジスタ制御装置の全部でなく一部をポリシリコン技術あるいはアモルファスシリコン技術等で絶縁基板上に形成するものであってもよい。また、シフトレジスタ回路システムの全部または一部を別チップに形成し、これを液晶表示装置の絶縁基板上に搭載するものであってもよい。
【００１５】
また、以下では、外部からの制御信号データを区別するために用いられる所定の周期信号として、垂直側シフトレジスタに用いられるクロック信号を説明するが、これに代えて水平側シフトレジスタに用いられるクロック信号を用いるものとしてもよい。また、これらのクロック信号以外の信号であっても、適当な周期によって２つの状態を有する周期信号であれば、これを用いることができる。要は、シフトレジスタの走査方向の切換のために特別に生成される信号でなく、既に他の目的に使用されている周期信号であればよい。
【００１６】
図１は、アクティブマトリクス型のフルカラー表示用の液晶表示装置１０の模式的平面図である。液晶表示装置１０は、ガラス基板１２の上にＴＦＴ（Ｔｈｉｎ  Ｆｉｌｍ  Ｔｒａｎｓｉｓｔｏｒ）等の半導体素子が低温ポリシリコン技術で形成されたものを用い、カラーフィルタ等が形成されたもう１枚のガラス基板との間に液晶分子が挟持されて構成される。
【００１７】
図１において、液晶表示装置１０には、表示領域１４の周囲に、シフトレジスタ制御装置２０が配置される。シフトレジスタ制御装置２０は、垂直側シフトレジスタ２２、水平側シフトレジスタ２４、切換回路２６を含んで構成される。
【００１８】
アクティブマトリクス型の液晶表示装置１０は、図１の紙面上の左右方向である水平方向に延びる複数の走査信号線と、紙面上の上下方向である垂直方向に延びる複数のデータ信号線とによってマトリクス状に区画された各領域を画素領域として、走査信号線の本数とデータ信号線の本数の積に応じた複数の画素領域等によって表示領域１４が構成される。そして、表示領域１４を構成する各画素領域に順次映像信号を供給して所望の表示を行わせるために、複数の走査信号線を垂直方向に順次選択し、複数のデータ信号線について水平方向に順次映像信号を供給することが行われる。この垂直方向の順次走査に垂直側シフトレジスタ２２と、水平方向の順次走査に水平側シフトレジスタ２４が用いられる。
【００１９】
垂直側シフトレジスタ２２は、適当な入力信号を入力し、クロック信号の変化に同期させて、入力信号と同様な信号を、時間を順次ずらして出力する機能を有する回路で、例えば、１０段のシフトレジスタの場合、入力信号と同様な信号を、クロック信号の変化ごとに、順次１０個出力する。この順次シフトして出力される信号を、表示領域１４の走査線選択信号として用いることで、クロック信号の変化に同期して、複数の走査線を順次選択することができる。なお、図１では、垂直側シフトレジスタ２２に用いられるクロック信号がＣＫＶとして示されている。
【００２０】
同様に水平側シフトレジスタも、クロック信号の変化に同期させて、入力信号と同様な信号を、時間を順次ずらして出力する機能を有する回路である。この順次シフトして出力される信号を、表示領域１４のデータ信号線に映像信号を供給する切換スイッチの制御信号として用いることで、クロック信号の変化に同期して、複数のデータ信号線に順次映像信号を供給することができる。
【００２１】
なお、図１では、垂直側シフトレジスタ２２に用いられるクロック信号がＣＫＶとして示されている。クロック信号ＣＫＶは、図１に示されるように、液晶表示装置１０の外部制御部から供給されることができるほか、液晶表示装置１０のガラス基板１２上に適当な発振回路等を搭載することで液晶表示装置１０の内部で生成することもできる。図１では図示が省略されているが、水平側シフトレジスタ２４にも、同期用のクロック信号が供給される。垂直側シフトレジスタ２２に用いられるクロック信号と水平側シフトレジスタ２４に用いられるクロック信号とは、同じ信号としてもよく、異なる信号としてもよい。
【００２２】
かかる垂直側シフトレジスタ２２、水平側シフトレジスタ２４としては、例えば複数のデータフリップフロップ等を直列に接続し、これをクロック信号で駆動し、データを前段から後段に順次転送する方式が知られている。また、抵抗負荷型のインバータ回路を用いる方式、抵抗負荷に代えてＭＩＳトランジスタを用いた方式等も知られている。ＭＩＳトランジスタは、絶縁膜をゲート膜として用いる電界効果型トランジスタで、絶縁膜としては酸化膜、窒化膜、酸化膜と窒化膜との複合絶縁膜等を用いることができる。ＭＩＳトランジスタは、スイッチング素子として用いることができ、またそのドレイン端子とゲート端子を接続して２端子素子とすることで、ダイオード特性の抵抗素子として用いることもできる。
【００２３】
そして、垂直側シフトレジスタ２２は、垂直方向走査切換信号ＣＳＶによって、その走査方向を切り換えることができる機能を有する。例えば、ＣＳＶがＨレベルの電位であるかＬレベルの電位であるかによって、走査方向を互いに逆のものとできる。一例を上げると、ＣＳＶがＨレベルの電位であるときに、図１の紙面において、上側方向から下側方向に、シフト信号である走査線選択信号が順次出力し、ＣＳＶがＬレベルの電位であるときに、図１の紙面において、下側方向から上側方向に、シフト信号である走査線選択信号が順次出力するものとできる。勿論逆の関係とすることもできる。
【００２４】
同様に、水平側シフトレジスタ２４は、水平方向走査切換信号ＣＳＨによって、その走査方向を切り換えることができる機能を有する。例えば、ＣＳＨがＨレベルの電位であるかＬレベルの電位であるかによって、走査方向を互いに逆のものとできる。一例を上げると、ＣＳＨがＨレベルの電位であるときに、図１の紙面において、左側方向から右側方向に、シフト信号が順次出力してデータ信号線に映像信号を順次供給し、ＣＳＨがＬレベルの電位であるときに、図１の紙面において、右側方向から左側方向に、シフト信号が順次出力してデータ信号線に映像信号を順次供給するものとできる。勿論逆の関係とすることもできる。
【００２５】
切換回路２６は、１つの外部切換信号線から供給される制御信号ＣＳＶＨに基づいて、垂直方向走査切換信号ＣＳＶと水平方向走査切換信号ＣＳＨを生成する機能を有する回路である。ここでは、上記の例で、垂直方向走査方向が上側から下側へか、下側から上側へか、水平方向走査方向が左側から右側へか、右側から左側へか、の４つの選択指示を、ＣＳＶＨのデータから区別する必要がある。一般的には、４つの状態を区別するには、最低限で２ビットの情報を用いればよい。１つの方法は、単純に２ビットのシリアルデータまたはパラレルデータをＣＳＶＨとすればよい。前者の場合は１本の信号線ですむが、後者は２本の信号線を要し、最初からＣＳＶとＣＳＨを外部信号とすることと変わらない。前者の場合には、シリアルデータの区別の技術が必要となる。
【００２６】
切換回路２６は、既に存在している垂直側シフトレジスタ２２のクロック信号ＣＫＶの２つの状態を利用して、簡単な構成で、１本の信号線からのシリアルデータの区別を行い、上記の４つの選択を区別する機能を有する回路である。図２に切換回路２６の構成を示す。
【００２７】
切換回路２６は、制御信号ＣＳＶＨとクロック信号ＣＫＶとを入力信号とし、垂直方向走査切換信号ＣＳＶと水平方向走査切換信号ＣＳＨとを出力信号とする回路である。ここで、制御信号ＣＳＶＨは、１本の外部切換信号線によって、図１における液晶表示装置１０の外部制御部から供給される信号である。クロック信号ＣＫＶは、図１における液晶表示装置１０において、走査方向の切換とは無関係に、垂直側シフトレジスタ２２の動作用に既に供給されている内部信号である。すなわち、切換回路２６のために特別に外部信号線を用いて供給される信号ではなく、既に他の目的に用いられている周期信号である。
【００２８】
切換回路２６は、図２に示されるように、ほぼ同様の構成の２つの回路ブロックからなる。図２において上部の回路ブロックは、ＣＳＶＨとＣＫＶからＣＳＶを生成する回路ブロックで、下部の回路ブロックは、ＣＳＶＨとＣＫＶからＣＳＨを生成する回路ブロックである。後者は、前者に対し、ＣＫＶの反転信号を作り出すインバータが付加されているところが相違する。切換回路２６は、２入力ＡＮＤと、Ｄとして示されている遅延回路と、２つのトランジスタ記号で示されているトランスミッションゲートと、インバータとで構成される。図３は、遅延回路Ｄを示す図で、このように遅延回路Ｄは、抵抗素子と容量素子とで構成することができる。
【００２９】
図４から図７は、ＣＳＶＨの状態によってＣＳＶ、ＣＳＨが生成される様子を示すタイムチャートである。これらの図において、横軸は時間、縦軸は電圧レベルを示す。なお、電圧レベルは、ＨレベルとＬレベルとで規格化して示した。これらの図において、ａからｆは、図２において対応する要素の出力端の状態を示すが、図４、図５におけるａからｆは、図２におけるＣＳＶ生成のための回路ブロック、すなわち図２の上部の回路ブロックにおいて示されたａからｆに対応する。同様に、図６、図７におけるａからｆは、図２におけるＣＳＨ生成のための回路ブロック、すなわち図２の下部の回路ブロックにおいて示されたａからｆに対応する。
【００３０】
図４、図５においては、ＣＫＶの立上りの期間におけるＣＳＶＨの値によって、ＣＳＶがＬレベルかＨレベルかを決定する様子が示されている。すなわち、ＣＫＶの立上りの２つの隣接する期間のＣＳＶＨの値は、図４においては「１」と「０」であり、図５においては「１」と「１」である。この相違に応じて、その次のＣＫＶの立ち上りの期間におけるＣＳＶは「０」か「１」となる。
【００３１】
同様に図６、図７においては、ＣＫＶの立下りの期間におけるＣＳＶＨの値によって、ＣＳＨがＬレベルかＨレベルかを決定する様子が示されている。すなわち、ＣＫＶの立下りの２つの隣接する期間のＣＳＶＨの値は、図６においては「１」と「０」であり、図７においては「１」と「１」である。この相違に応じて、その次のＣＫＶの立ち下りの期間におけるＣＳＨは「０」か「１」となる。
【００３２】
この様子をまとめたのが図８である。すなわち、ＣＫＶの立上りの２つの隣接する期間におけるＣＳＶＨの２ビットの値の相違によってＣＳＶが「Ｌ」か「Ｈ」かが決定され、ＣＫＶの立下りの２つの隣接する期間におけるＣＳＶＨの２ビットの値の相違によってＣＳＨが「Ｌ」か「Ｈ」かが決定される。
【００３３】
このように、切換回路２６は、所定の周期信号であるＣＫＶにおける２つの状態に同期させて、外部から入力される制御信号ＣＳＶＨのデータに基づいて、垂直方向走査切換信号ＣＳＶと水平方向走査切換信号ＣＳＨとを生成して出力する。
【００３４】
上記の例では、ＣＫＶの立上りを第１の状態とし、立下りを第２の状態とし、第１の状態におけるＣＳＶＨのデータを垂直側シフトレジスタの走査方向切換指示データとし、第２の状態におけるＣＳＶＨのデータを水平側シフトレジスタの走査方向切換指示データとする。勿論、逆の関係とすることもできる。
【００３５】
また、上記では、ＣＫＶの立上った後の「Ｈ」期間を第１状態とし、ＣＫＶの立下った後の「Ｌ」期間を第２状態としたが、ＣＫＶの立上りタイミングを第１状態とし、立下りタイミングを第２状態として、ＣＫＶの立上りと立下りとでＣＳＶＨのデータを読み込むものとしてもよい。
【００３６】
そして、ＣＳＶＨのデータが同一であっても、ＣＫＶの第１状態におけるデータか、第２状態におけるデータかによって、垂直側シフトレジスタに関する指示か、水平シフトレジスタに関する指示かを区別する。例えば、上記の場合において、ＣＳＶＨのデータが「１」「０」のとき、これがＣＫＶの第１状態におけるデータであるときは、垂直側シフトレジスタの下側から上側への走査方向の指示として、ＣＳＶを「Ｌ」として出力するが、これがＣＫＶの第２状態におけるデータであるときは、水平側シフトレジスタの右側から左側への走査方向の指示として、ＣＳＨを「Ｌ」として出力する。
【００３７】
そして、上記の例では、ＣＳＶが「Ｈ」のとき、図１において上側から下側へと走査が行われ、「Ｌ」のとき、下側から上側へと走査が行われる。また、ＣＳＨが「Ｈ」のとき、図１において左側から右側へと走査が行われ、「Ｌ」のとき、右側から左側へと走査が行われる。勿論「Ｈ」と「Ｌ」の意味づけをこれと逆のものとすることもできる。
【００３８】
なお、図８に示されるように、ＣＳＶＨの２ビットのデータのうち、最初のビットはいずれも「１」である。したがって、ＣＳＶＨを１ビットのデータとし、「Ｈ」か「Ｌ」かの区別と、ＣＫＶの立上りか立下りかの区別の組合せでも、４つの状態を区別して、ＣＳＶの「Ｈ」か「Ｌ」、またはＣＳＨの「Ｈ」か「Ｌ」を出力することは可能である。
【００３９】
ここで、図８において、最初のビットを「１」としているのは、ＣＳＶＨを「Ｌ」から「Ｈ」に立ち上げて、まずＣＫＶの２つの状態の区別によってＣＳＶに対する指示かＣＳＨに対する指示かを明らかにし、次のビットにおいて、走査方向の区別を明らかにする２段階の判断とするものである。このように２段階の判断とすることで、データの信頼性を向上させ、誤判断を少なくすることができる。
【図面の簡単な説明】
【００４０】
【図１】本発明に係る実施の形態における液晶表示装置の模式的平面図である。
【図２】本発明に係る実施の形態において、切換回路の構成を示す図である。
【図３】本発明に係る実施の形態において、遅延回路の構成を示す図である。
【図４】本発明に係る実施の形態において、ＣＳＶＨの状態によってＣＳＶのＬレベルが生成される様子を示すタイムチャートである。
【図５】本発明に係る実施の形態において、ＣＳＶＨの状態によってＣＳＶのＨレベルが生成される様子を示すタイムチャートである。
【図６】本発明に係る実施の形態において、ＣＳＶＨの状態によってＣＳＨのＬレベルが生成される様子を示すタイムチャートである。
【図７】本発明に係る実施の形態において、ＣＳＶＨの状態によってＣＳＨのＨレベルが生成される様子を示すタイムチャートである。
【図８】本発明に係る実施の形態において、切換回路の作用をまとめて示す図である。
【符号の説明】
【００４１】
１０  液晶表示装置、１２  ガラス基板、１４  表示領域、２０  シフトレジスタ制御装置、２２  垂直側シフトレジスタ、２４  水平側シフトレジスタ、２６  切換回路。
【図１】
2008224886.tif 000003
【図２】
2008224886.tif 000004
【図３】
2008224886.tif 000005
【図４】
2008224886.tif 000006
【図５】
2008224886.tif 000007
【図６】
2008224886.tif 000008
【図７】
2008224886.tif 000009
【図８】
2008224886.tif 000010